(57)【要約】【課題】細胞診スクリーニングを正確で迅速に行うための、細胞の乾燥がなく、塗抹が均一でしかも細胞剥離がほとんどなく、染色性も均一で鮮明な標本を作成する。【解決手段】ヒドロキシプロピルセルロース及び／又はグアーヒドロキシプロピルトリモニウムクロリドを含むものを、細胞処理試薬として使用する。細胞処理試薬は、細胞固定のために、２０〜７０ｖ／ｖ％の濃度のアルコールを含んでもよく、ポリエチレングリコールを含んでもよい。ポリエチレングリコールとして、重量平均分子量４００〜４０００のポリエチレングリコールを使用することができる。【選択図】なし【特許請求の範囲】
【請求項１】
ヒドロキシプロピルセルロース及び／又はグアーヒドロキシプロピルトリモニウムクロリドを含む細胞処理試薬。
【請求項２】
ポリエチレングリコール、並びに、ヒドロキシプロピルセルロース及び／又はグアーヒドロキシプロピルトリモニウムクロリドを含む細胞処理試薬。
【請求項３】
ポリエチレングリコールは、重量平均分子量４００〜４０００である請求項２に記載の細胞処理試薬。
【請求項４】
ヒドロキシプロピルセルロース及びグアーヒドロキシプロピルトリモニウムクロリドをともに含む、請求項１〜３のいずれか１項に記載の細胞処理試薬。
【請求項５】
アルコールをさらに含む、請求項１〜４のいずれか１項に記載の細胞処理試薬。
【請求項６】
細胞浮遊液と、請求項１〜５のいずれか１項に記載の細胞処理試薬とを混合するステップと、
生じた沈渣をスライドガラスに塗抹乾燥するステップと
を含む、顕微鏡標本を作製する方法。
【請求項７】
細胞浮遊液と、細胞処理試薬との混合液におけるヒドロキシプロピルセルロース濃度が、０．０１〜１．０％ｗ／ｖである、請求項６に記載の方法。
【請求項８】
細胞浮遊液と、細胞処理試薬との混合液におけるグアーヒドロキシプロピルトリモニウムクロリド濃度が、０．００２〜０．１％ｗ／ｖである、請求項６又は７に記載の方法。
【請求項９】
細胞浮遊液と、細胞処理試薬との混合液におけるアルコール濃度が、１０〜７０ｖ／ｖ％％である、請求項６〜８のいずれか１項に記載の方法。
【発明の詳細な説明】
【技術分野】
【０００１】
本発明は臨床細胞検査等の分野に用いられる細胞処理試薬及び細胞固定液、並びに顕微鏡標本を作製する方法に関する。
【背景技術】
【０００２】
臨床細胞検査学等においては、細胞の形態や構造を観察するため、或いは細胞の数やその種類を検査するために、顕微鏡を用いた細胞の観察が広く行われている。
特に臨床細胞診検査は、病理組織検査に比べ検体の採取に制約が少なく、広範な対象に適用できる。更に患者に対する負荷が軽く、標本作製が簡便・安価であること等の理由から集団検診、日常検査、精密検査等の広範囲において各種疾患の鑑別や疾患の程度の判定、治療効果の判定、経過観察等のために行われる。
【０００３】
また、近年子宮頚部癌等の発癌機構の一部が明らかになり、早期発見のため臨床細胞学的検査（細胞診検査）と分子生物学的検査（ＨＰＶ−ＤＮＡ検査）が併用されるようになってきた。そのため子宮頚部の細胞を採取後、液状細胞固定液中に保存し、細胞診検査とＨＰＶ−ＤＮＡ検査の両方が測定可能なＬＢＣ法（ｌｉｑｕｉｄ−ｂａｓｅｄ−ｃｙｔｏｌｏｇｙ、液状処理細胞診法）が広まってきた。ＬＢＣ法によれば細胞診標本を作製する際の塗抹不良や乾燥等の技術的エラーを減少させる事ができるとされている。
【０００４】
従来の直接塗抹の方法では、尿、体腔液等の液状検体の場合、遠心後沈渣をスライドガラスに塗り広げるか、ストリッヒ標本にするか、機器によりオートスメアにするか、フィルターを用いて貼り付ける等にて標本を作製し、その後、乾燥しないうちに濡れたままで９５％アルコールに浸すか、又は滴下固定液、スプレー固定等を用いて湿固定することにより行われる（非特許文献１及び２）。しかし、スライドガラス等からの細胞剥離が強いため、細胞が完全に剥がれ落ちてしまうこともある。細胞の剥離防止のため、コーティングスライドを用いたり、直接塗抹スライドグラスをアルコール等で固定後ポリエチレングリコールを含むスプレー固定液をさらにかけて一旦乾燥させる等が必要となることが多い（特許文献１及び２）。しかし、それでもなお、染色過程でのガラス面からの細胞剥離が問題となる。
【０００５】
また、子宮頚部擦過や穿刺物等の様に材料が粘稠で細胞が多量に得られる場合や、反対に病変が乾燥気味であったり、硬かったりして細胞が少数しか得られない場合でも同様に、直接塗抹法が選択される。しかし、細胞の塗抹が厚すぎる又は薄すぎる場合、均一でない場合、細胞が初めから乾燥している場合、ガラス面に付着せず、既に剥離している場合には、濡れたままで固定する湿固定が出来ず、剥離してしまったり、均一な固定が得られないために固定不良標本になったり、安定した均一な染色性が得られない等の問題が生じる。
【０００６】
一方、ＬＢＣ法は、検体採取後採取具から細胞を液状の固定液中に直接保存し、その固定済み細胞を使ってスライドガラスに塗抹する。そのため、ＬＢＣ法では乾燥がなく、比較的均一に集細胞して塗抹でき、不適正標本の割合が減少するとされている。
【先行技術文献】
【特許文献】
【０００７】
【特許文献１】特開２００９−３１６８８号公報
【特許文献１】特開２００７−２０２４７２号公報
【非特許文献】
【０００８】
【非特許文献１】細胞診標本作成マニュアル（体腔液）、２００８年８月１日発行  第１版  細胞検査士会発行
【非特許文献２】細胞診標本作成マニュアル（泌尿器）、２００８年８月１日発行  第１版  細胞検査士会発行
【発明の概要】
【発明が解決しようとする課題】
【０００９】
本発明は、細胞の乾燥がなく、塗抹が均一でしかも細胞剥離がほとんどなく、染色性も均一で鮮明であるため、細胞診スクリーニングが正確で迅速に行える標本を作成するための試薬であって、標本作製が専用の自動化機器を使用しなくても用手法にて、どこでも簡便迅速にしかも安価で行える細胞処理試薬又は細胞固定剤を提供することを目的とする。また、上記標本を作製するための、顕微鏡標本の作製方法を提供することを目的とする。
【課題を解決するための手段】
【００１０】
上記目的を達成するために、本発明は、増粘多糖類を含む細胞処理試薬、並びに、ポリエチレングリコール（ＰＥＧ）及び増粘多糖類を含む細胞処理試薬が提供される。増粘多糖類は細胞がガラス上から剥離することを防ぐ効果があり、ポリエチレングリコールは標本を乾燥させる際に保湿状態を保つ効果が有ると考えられる。ＰＥＧは、検体の種類、状態及び染色法等により、必要に応じて細胞処理試薬中に含ませることができる。
増粘多糖類としては、ヒドロキシプロピルセルロースが好ましく、ヒドロキシプロピルセルロース濃度は、０．０１ｗ／ｖ％〜１．０／ｖ％が好ましい。
上記細胞処理試薬には、グアーヒドロキシプロピルトリモニウムクロリドをさらに含んでもよい。グアーヒドロキシプロピルトリモニウムクロリド濃度は、０．００２ｗ／ｖ％〜０．１ｗ／ｖ％が好ましい。本発明の細胞処理試薬は、既固定細胞を含む検体を処理することにより、細胞の剥離、乾燥がほとんどなく、固定、塗抹、染色性が均一な優れた標本を作製することができる。なお、上記ヒドロキシプロピルセルロース濃度及びグアーヒドロキシプロピルトリモニウムクロリド濃度を、当業者は、検体の種類や状態、染色方法等に応じて任意に変更可能である。例えば、血液や細胞塊を含む検体の場合には、高い濃度のヒドロキシプロピルセルロースやグアーヒドロキシプロピルトリモニウムクロリドを使用することにより、剥離等なく標本を作製することができる。
【００１１】
上記細胞処理試薬は、細胞固定のためのアルコールをさらに含んでもよく、使用されるアルコールは、エタノールが好ましい。エタノール濃度は、検体と混ぜ合わせた後の濃度として１０〜７０ｖ／ｖ％となるよう調整することが好ましい。対象となる検体の種類や固定の程度に併せて、細胞処理試薬中のアルコール濃度を適宜変更することができる。例えば、固定済みの検体の場合には、低濃度のアルコールを含む細胞処理試薬を使用し、未固定又は固定の程度が低い検体の場合には、高濃度のアルコールを含む細胞処理試薬を使用することができる。アルコールを含む本発明の細胞処理試薬は、未固定検体を固定するのみならず、細胞の剥離、乾燥がほとんどなく、固定、塗抹、染色性が均一な優れた標本を作製することができる。
上記細胞処理試薬に含まれるポリエチレングリコールは、重量平均分子量４００〜４０００のものが好ましい。
【００１２】
本発明のさらに別の態様としては、細胞浮遊液と上記細胞処理試薬とを混合するステップと、生じた沈渣をスライドガラスに塗抹乾燥するステップとを含む、顕微鏡標本を作製する方法が提供される。
【発明の効果】
【００１３】
本発明の方法によれば、含まれる細胞が少数でも、細胞の剥離、乾燥がほとんどなく、固定、塗抹、染色性が均一な優れた標本を、短時間に通常のスライドガラス上に低コストで作製できる。また、その方法は単純であり、廃棄物も少ない。そのため、例えば、婦人科子宮頚部癌のリスク判定のためのＨＰＶ−ＤＮＡテスト用と共通の検体を利用して顕微鏡標本を作成できる。
また、未固定の体液サンプル、例えば、尿を簡便に固定処理して、低コストで短時間に細胞の剥離、乾燥がほとんどない、固定、塗抹、染色性が均一な優れた標本を作製できる。
【００１４】
本発明の細胞処理試薬は、検体と混合した後の濃度が１０〜７０％程度のアルコール水溶液となるような細胞固定液としても使用することが可能である。本発明の細胞処理試薬及び処理液以外に必要となるのは、汎用されているスライドガラス（例えば、未処理のスライドガラス）、スピッツ、ピペット又はスポイト等であり、専用の器具を必要としない点で、例えば、尿などの液状検体などでは、従来のＬＢＣ標本の作製と比べて経済的である。
【００１５】
従来の婦人科ＬＢＣ標本でも、バックグラウンドの細菌、壊死物質、白血球が幾分除かれ細胞が観察し易くなっているが、本発明の方法では、細胞の壊死、白血球、細菌、結晶又は細胞集塊等を調節して塗抹することができ、組織の構築情報、バックグラウンド等についても詳細に観察することができる。そのため、例えば、従来の婦人科ＬＢＣ標本と比べて、より多くの情報が得られる。
【図面の簡単な説明】
【００１６】
【図１】実施例１において作成されたスライドグラスを示す写真である。
【図２】実施例２において作成されたスライドグラスを示す写真である。
【図３】実施例３において作成されたスライドグラスを示す写真である。
【図４】実施例４において作成されたスライドグラスを示す写真である。
【図５】実施例５において作成されたスライドグラスを示す写真である。
【図６】実施例６において作成されたスライドグラスを示す写真である。
【図７】実施例７において作成されたスライドグラスを示す写真である。
【発明を実施するための形態】
【００１７】
本発明は、増粘多糖類を含む細胞処理試薬、並びに、ポリエチレングリコール（ＰＥＧ）及び増粘多糖類を含む細胞処理試薬に関する。また、本発明の細胞処理試薬は、細胞固定のためにアルコールをさらに含むことができる。アルコールをさらに含む細胞処理試薬は、特に、未固定検体又は固定の程度が低い検体に用いることができる。
【００１８】
本発明の細胞処理試薬に含まれるアルコールとしては、エタノール、メタノール、プロパノール、ブタノール等を使用することができる。これらのうち、エタノール及びメタノールが特に好ましい。
細胞処理試薬に含まれるアルコール濃度は、検体の種類、形状、検体に含まれる細胞の量によって、任意に変更可能である。例えば、検体と混合後の濃度として、約１０〜７０ｖ／ｖ％、好ましくは約２０〜５０ｖ／ｖ％とすることができる。
【００１９】
水は、ＰＥＧ、多糖類及びアルコールを所定の濃度とするための希釈に必要な分だけ、細胞処理試薬に添加する。希釈するための水として、蒸留水等を使用することができる。
【００２０】
本発明の細胞処理試薬に含まれるＰＥＧとしては、重量平均分子量４００〜４０００程度のＰＥＧを使用することができる。例えば、ＰＥＧ１５４０を使用することができる。
細胞処理試薬に含まれるＰＥＧ濃度は、最終濃度として、約１〜１０ｗ／ｖ％とすることができ、例えば、２〜３ｗ／ｖ％とすることができる。
【００２１】
本発明の細胞処理試薬に含まれる増粘多糖類としては、公知の任意の増粘多糖類を使用することができ、例えば、グアーヒドロキシプロピルトリモニウムクロリド、ヒドロキシプロピルセルロース、キサンタンガム、カラギーナン、グァーガム、ジェランガム、ローカストビーンガム、ダイユータンガム、ペクチン、ヒプロメロース及び又はこれらの誘導体を使用することができる。増粘多糖類は、複数種の増粘多糖類を混合して使用することができる。特に、ヒドロキシプロピルセルロースが好ましい。また、ヒドロキシプロピルセルロースと組み合わせて、グアーヒドロキシプロピルトリモニウムクロリドを使用することができる。
【００２２】
本発明の細胞処理試薬に含まれる増粘多糖類の濃度は、検体の種類、形状、検体に含まれる細胞の量によって、任意に変更可能であるが、最終濃度として合計で、約０．００１〜５．０ｗ／ｖ％とすることができる。細胞処理試薬は、例えば、ヒドロキシプロピルセルロースを最終濃度として、約０．０１ｗ／ｖ％〜１．０ｗ／ｖ％含む。また、細胞処理試薬は、例えば、グアーヒドロキシプロピルトリモニウムクロリドを最終濃度として、約０．００２ｗ／ｖ％〜０．１ｗ／ｖ％さらに含む。当業者は、検体の種類や状態、染色法等に応じて、これらの濃度を任意に変更可能である。
【００２３】
使用可能な細胞診検体の採取方法は特に限定されず、任意の方法にて得られた材料が可能である。例えば、排出、分泌、洗浄、穿刺、吸引、擦過などの方法により、検体を採取することができる。
【００２４】
未固定の液状の検体の場合には、本発明のアルコールを含有する細胞処理試薬を、遠心後の沈渣に混和して固定処理を行うことができる。擦過物や穿刺吸引液等により得られる検体の場合には、本発明のアルコールを含有する細胞処理試薬に検体を直接混和して３０分以上固定する方法が挙げられる。細胞を固定するためには、ＨＰＶ−ＤＮＡテストと共用のＬＢＣ用固定液、市販の細胞固定液、１０〜７０％程度のアルコール液及び本発明のアルコールを含有する細胞処理試薬等、任意の細胞固定液が使用でき、特に限定されない。本発明のアルコールを含有する細胞処理試薬を使用した場合には、検体を固定できると同時に、スライドガラスからの検体をはがれ難くする効果をも付与できるため、特に好ましい。
【００２５】
液状の検体には、体腔液、尿、消化液、Ｃｙｓｔ液、洗浄液（例えば、気管支洗浄液、気管支肺胞洗浄など）を例示することができる。
【００２６】
以下に、固定後の細胞をスライドガラス標本とする一般的な方法の例を説明するが、当業者は、対象となる検体などに応じて、標本作成法を変更可能である。５ｍｌ用の突底スピッツに本発明の細胞処理試薬を１ｍｌ程度分注しておき、固定済み細胞浮遊液を４ｍｌ程度加える。含まれる細胞量に応じて液量を適宜調節することができる。別法として、細胞浮遊液に、細胞処理試薬を滴下することにより細胞を処理することができる。
【００２７】
次に、遠心し沈渣を得る。子宮頚部のＬＢＣ標本の様に細菌、白血球を幾分除いて標本にしたい場合は、２０００ｒｐｍにセットし電源をＯＮにして２〜５秒程度、尿などの液状検体の細胞の少ない検体の場合や、細菌、結晶、壊死物質、白血球等を観察する場合、必要に応じて１〜３分程度遠心し、上清を除き沈渣を得る。
【００２８】
試薬処理後の固定細胞沈渣をピペットにて混和後、コーティングしていない通常のスライドガラスに短軸に帯状に塗沫し、冷風等で完全に乾燥させる。短軸に塗抹するのは、通常染色機等は長軸に上下動して染色するため横短軸帯状に塗抹する事により均一な染色性が得られる。
【００２９】
乾燥した標本は９５％アルコールで２０分程再固定し、必要に応じ、パパニコロウ染色、粘液染色等の特殊染色をする。
【００３０】
以下に実施例に基づいて本発明を説明するが、下記の実施例は本発明を説明するためのものであり、本発明を限定するためのものではない。
【実施例】
【００３１】
＜実施例１：子宮頚部の擦過（ブラシ検体）の固定サンプル＞
子宮頚部の擦過ブラシ検体を市販の固定液（ＬＢＣ固定液、ＴｈｉｎＰｒｅｐ（登録商標）、ホロジックジャパン株式会社製）に入れて懸濁し、そのうち約２ｍｌをサンプル液とした。このサンプル液に、ＰＥＧ１５００、Ｋｌｕｃｅｌ（商標）ヒドロキシプロピルセルロース（アシュランド  スペシャルティ  イングリーディエンツ（ＡＳＩ）社製）及びグアーヒドロキシプロピルトリモニウムクロリド（三晶株式会社製、製品名ＪＡＧＵＡＲ  Ｃ−１６２）、エタノール（武藤化学株式会社製、病理染色用エタノール１００）を含む試薬２ｍｌを加えて遠心操作した。ピペットを用いて、得られた沈渣をスライドガラスに塗りつけ、乾燥後、パパニコロウ染色をした。
混合液の組成は、以下の通りである。ＰＥＧ１５００、ヒドロキシプロピルセルロース及びグアーヒドロキシプロピルトリモニウムクロリドは、最終濃度がそれぞれ、３ｗ／ｖ％、０．１ｗ／ｖ％、０．０１ｗ／ｖ％となるように蒸留水で希釈した。エタノールは、最終濃度が０ｖ／ｖ％、１０ｖ／ｖ％、２０ｖ／ｖ％、３０ｖ／ｖ％、４０ｖ／ｖ％又は５０ｖ／ｖ％となるように添加した。
作成したスライドの写真を図１に示す。図１中、左から、エタノールの最終濃度が０ｖ／ｖ％、１０ｖ／ｖ％、２０ｖ／ｖ％、３０ｖ／ｖ％、４０ｖ／ｖ％又は５０ｖ／ｖ％である。
サンプルのスライドガラスからのはがれ難さ、顕微鏡下における見易さ（顕鏡容易性、染色性、細胞の散在性、細胞の鮮明さ）、総合評価を表１にまとめた。
【００３２】
【表１】
2019015707.tif 000002
試薬：上記濃度のエタノール、３ｗ／ｖ％ＰＥＧ、０．１ｗ／ｖ％ヒドロキシプロピルセルロース、０．０１ｗ／ｖ％グアーヒドロキシプロピルトリモニウムクロリドを含む。
【００３３】
上記の表において、サンプルのスライドからのはがれ難さを、○：はがれ難い、△：ややはがれ難い、×：はがれ易いにより示した。また、顕微鏡下による見易さ（顕鏡容易性）は、○：見易い、△：やや見易い、×：見辛いとして示し、はがれ難さと見易さを総合した評価として、○：優れている、△：良好、×：劣る、とした。以下の表でも、同様とする。
【００３４】
＜実施例２：尿（扁平上皮、尿路上皮）の未固定サンプル＞
尿を遠心操作して得られた沈渣１滴と、２ｍｌの下記の試薬を混ぜ合わせ、３０分静置して固定した。その後さらに遠心操作し、得られた沈殿物をスライドガラスに塗沫し、パパニコロウ染色をした。
試薬の組成は、以下の通りである。ＰＥＧ１５００、ヒドロキシプロピルセルロース及びグアーヒドロキシプロピルトリモニウムクロリドは、最終濃度がそれぞれ、３ｗ／ｖ％、０．１ｗ／ｖ％、０．０１ｗ／ｖ％となるように蒸留水で希釈した。エタノールは、最終濃度が０ｖ／ｖ％、１０ｖ／ｖ％、２０ｖ／ｖ％、３０ｖ／ｖ％、４０ｖ／ｖ％又は５０ｖ／ｖ％となるように添加した。
作成したスライドの写真を図２に示す。図２中、左から、エタノールの最終濃度が０ｖ／ｖ％、１０ｖ／ｖ％、２０ｖ／ｖ％、３０ｖ／ｖ％、４０ｖ／ｖ％又は５０ｖ／ｖ％である。
サンプルのスライドガラスからのはがれ難さ、顕微鏡下における見易さ（顕鏡容易性）、総合評価を表２にまとめた。
【００３５】
【表２】
2019015707.tif 000003
試薬：上記濃度のエタノール、３ｗ／ｖ％ＰＥＧ、０．１ｗ／ｖ％ヒドロキシプロピルセルロース、０．０１ｗ／ｖ％グアーヒドロキシプロピルトリモニウムクロリドを含む。
【００３６】
＜実施例３：子宮頚部の擦過（ブラシ検体）の固定サンプル＞
実施例１同様に作成した約２ｍｌのサンプル液に、試薬２ｍｌを加え混合液として遠心操作した。ピペットを用いて、得られた沈渣をスライドガラスに塗りつけ、パパニコロウ染色をした。
サンプルと試薬の混合液の組成は、以下の通りである。エタノール、ＰＥＧ１５００及びヒドロキシプロピルセルロースは、最終濃度がそれぞれ、５０ｖ／ｖ％、２ｗ／ｖ％、０．０５ｗ／ｖ％となるように蒸留水で希釈した。グアーヒドロキシプロピルトリモニウムクロリドは、最終濃度が０ｗ／ｖ％、０．００５ｗ／ｖ％、０．０１ｗ／ｖ％、０．０１５ｗ／ｖ％又は０．０２ｗ／ｖ％となるように添加した。
作成したスライドの写真を図３に示す。図３中、左から、グアーヒドロキシプロピルトリモニウムクロリドの最終濃度が、０ｗ／ｖ％、０．００５ｗ／ｖ％、０．０１ｗ／ｖ％、０．０１５ｗ／ｖ％又は０．０２ｗ／ｖ％である。
サンプルのスライドガラスからのはがれ難さ、顕微鏡下における見易さ（顕鏡容易性）、総合評価を表３にまとめた。
【００３７】
【表３】
2019015707.tif 000004
試薬：上記濃度のグアーヒドロキシプロピルトリモニウムクロリド、５０ｖ／ｖ％エタノール、２ｗ／ｖ％ＰＥＧ１５００、０．０５ｗ／ｖ％ヒドロキシプロピルセルロースを含む。
【００３８】
＜実施例４：尿（扁平上皮、尿路上皮）の未固定サンプル＞
実施例２同様に尿を遠心操作して得られた沈渣１滴と、２ｍｌの下記の試薬を混ぜ合わせ、３０分静置して固定した。その後さらに遠心操作し、得られた沈殿物をスライドガラスに塗沫し、パパニコロウ染色をした。
試薬の組成は、以下の通りである。エタノール、ＰＥＧ１５００及びヒドロキシプロピルセルロースは、最終濃度がそれぞれ、５０ｖ／ｖ％、２ｗ／ｖ％、０．０５ｗ／ｖ％となるように蒸留水で希釈した。グアーヒドロキシプロピルトリモニウムクロリドは、最終濃度が０ｗ／ｖ％、０．００５ｗ／ｖ％、０．０１ｗ／ｖ％、０．０１５ｗ／ｖ％又は０．０２ｗ／ｖ％となるように添加した。
作成したスライドの写真を図４に示す。図４中、左から、グアーヒドロキシプロピルトリモニウムクロリドの最終濃度が、０ｗ／ｖ％、０．００５ｗ／ｖ％、０．０１ｗ／ｖ％、０．０１５ｗ／ｖ％又は０．０２ｗ／ｖ％である。
サンプルのスライドガラスからのはがれ難さ、顕微鏡下における見易さ（顕鏡容易性）、総合評価を表４にまとめた。
【００３９】
【表４】
2019015707.tif 000005
試薬：上記濃度のグアーヒドロキシプロピルトリモニウムクロリド、５０ｖ／ｖ％エタノール、２ｗ／ｖ％ＰＥＧ１５００、０．０５ｗ／ｖ％ヒドロキシプロピルセルロースを含む。
【００４０】
＜実施例５：尿（扁平上皮、尿路上皮）の未固定サンプル＞
実施例２同様に尿を遠心操作して得られた沈渣１滴と、２ｍｌの下記の試薬を混ぜ合わせ、３０分静置して固定した。その後さらに遠心操作し、得られた沈殿物をスライドガラスに塗沫し、パパニコロウ染色をした。
試薬の組成は、以下の通りである。エタノール、ＰＥＧ１５００及びグアーヒドロキシプロピルトリモニウムクロリドは、最終濃度がそれぞれ、５０ｖ／ｖ％、２ｗ／ｖ％、０．０１５ｗ／ｖ％となるように蒸留水で希釈した。ヒドロキシプロピルセルロースは、最終濃度が０ｗ／ｖ％、０．００５ｗ／ｖ％、０．０１ｗ／ｖ％、０．０５ｗ／ｖ％又は０．１ｗ／ｖ％となるように添加した。
作成したスライドの写真を図５に示す。図５中、左から、ヒドロキシプロピルセルロースの最終濃度が、０ｗ／ｖ％、０．００５ｗ／ｖ％、０．０１ｗ／ｖ％、０．０５ｗ／ｖ％又は０．１ｗ／ｖ％である。
サンプルのスライドガラスからのはがれ難さ、顕微鏡下における見易さ（顕鏡容易性）、総合評価を表５にまとめた。
【００４１】
【表５】
2019015707.tif 000006
試薬：上記濃度のヒドロキシプロピルセルロース、５０ｖ／ｖ％エタノール、２ｗ／ｖ％ＰＥＧ１５００、０．０１５ｗ／ｖ％グアーヒドロキシプロピルトリモニウムクロリドを含む。
【００４２】
＜実施例６：尿（扁平上皮、尿路上皮）の未固定サンプル＞
実施例２同様に尿を遠心操作して得られた沈渣１滴と、２ｍｌの下記の試薬を混ぜ合わせ、３０分静置して固定した。その後さらに遠心操作し、得られた沈殿物をスライドガラスに塗沫し、パパニコロウ染色をした。
試薬の組成は、以下の通りである。エタノール及びＰＥＧ１５００は、最終濃度がそれぞれ、５０ｖ／ｖ％、２ｗ／ｖ％となるように蒸留水で希釈した。ヒドロキシプロピルセルロースは、最終濃度が０ｗ／ｖ％、０．００５ｗ／ｖ％、０．０１ｗ／ｖ％、０．０５ｗ／ｖ％又は０．１ｗ／ｖ％となるように添加した。
作成したスライドの写真を図６に示す。図６中、左から、ヒドロキシプロピルセルロースの最終濃度が、０ｗ／ｖ％、０．００５ｗ／ｖ％、０．０１ｗ／ｖ％、０．０５ｗ／ｖ％又は０．１ｗ／ｖ％である。
サンプルのスライドガラスからのはがれ難さ、顕微鏡下における見易さ（顕鏡容易性）、総合評価を表６にまとめた。
【００４３】
【表６】
2019015707.tif 000007
試薬：上記濃度のヒドロキシプロピルセルロース、５０ｖ／ｖ％エタノール、２ｗ／ｖ％ＰＥＧ１５００を含む。
【００４４】
＜実施例７：尿（扁平上皮、尿路上皮）の未固定サンプル＞
実施例２同様に尿を遠心操作して得られた沈渣１滴と、２ｍｌの下記の試薬を混ぜ合わせ、３０分静置して固定した。その後さらに遠心操作し、得られた沈殿物をスライドガラスに塗沫し、パパニコロウ染色をした。
試薬の組成は、以下の通りである。エタノールは、最終濃度が５０ｖ／ｖ％となるように蒸留水で希釈した。ヒドロキシプロピルセルロースは、最終濃度が０ｗ／ｖ％、０．００５ｗ／ｖ％、０．０１ｗ／ｖ％、０．０５ｗ／ｖ％又は０．１ｗ／ｖ％となるように添加した。なお、この試薬には、ＰＥＧは含まれない。
作成したスライドの写真を図７に示す。図７中、左から、ヒドロキシプロピルセルロースの最終濃度が、０ｗ／ｖ％、０．００５ｗ／ｖ％、０．０１ｗ／ｖ％、０．０５ｗ／ｖ％又は０．１ｗ／ｖ％である。
サンプルのスライドガラスからのはがれ難さ、顕微鏡下における見易さ（顕鏡容易性）、総合評価を表７にまとめた。
【００４５】
【表７】
2019015707.tif 000008
試薬：上記濃度のヒドロキシプロピルセルロース、５０ｖ／ｖ％エタノールを含む。
【図１】
2019015707.tif 000009
【図２】
2019015707.tif 000010
【図３】
2019015707.tif 000011
【図４】
2019015707.tif 000012
【図５】
2019015707.tif 000013
【図６】
2019015707.tif 000014
【図７】
2019015707.tif 000015